(57)【特許請求の範囲】
【請求項１】
床板に形成される取付孔に設置される配線器具であって、
前記取付孔に挿入状態で配置される筐体と、
前記筐体の上部に取り付けられ、前記筐体から外方突出状に設けられる上顎部材と、
前記上顎部材に固定的に接続され、上下方向に前記筐体の底部を越えて下方にまで延在する柱状部材と、
前記柱状部材の前記筐体の底部よりも下方の部分に、前記筐体から外方突出状に設けられる保持部材と、
前記柱状部材に沿って前記上顎部材と前記保持部材とに回転自在に保持され、外周面にねじ溝が設けられる軸部材と、
前記軸部材と螺合する雌ねじ部を有し、前記軸部材の回転により上下方向に移動可能な下顎部材と
を備える配線器具。
【請求項２】
前記柱状部材を複数備え、前記柱状部材の一つと他の一つを前記筐体の下方において架橋状に接続する梁部材をさらに備える
請求項１に記載の配線器具。
【請求項３】
前記柱状部材は、前記下顎部材を上昇させる方向に前記軸部材を回転させた場合に、前記下顎部材が前記筐体から外方に向かって突出する状態を維持するように前記下顎部材の回転を規制する規制部を備える
請求項１または２に記載の配線器具。
【請求項４】
前記柱状部材は前記上顎部材に着脱可能に固定され、
前記軸部材は、前記上顎部材、および、前記保持部材に着脱可能である
請求項１〜３のいずれか一項に記載の配線器具。
【請求項５】
前記筐体は、外周面に回転対称に配置される複数の平面部を備え、
前記柱状部材は、前記平面部の幅方向の一方に偏って配置され、かつ、回転対称に配置される
請求項１〜４のいずれか一項に記載の配線器具。
【請求項６】
前記梁部材は、前記柱状部材の回転対称軸と交差する位置に配置される
請求項２を引用する請求項５に記載の配線器具。
【請求項７】
床板の取付孔に取り付けて構成する配線器具の製造方法であって、
柱状部材を、筐体の側方に上下方向に延在状態となるよう、前記筐体の上部にであって当該筐体から外方突出状に設けられる上顎部材に固定し、
前記柱状部材の前記筐体の底部よりも下方の部分に、前記筐体から外方突出状に設けられる保持部材と前記上顎部材との間であって、前記柱状部材に沿って回転自在に、外周面にねじ溝が設けられる軸部材を取り付け、
前記取付孔に当該筐体を挿入状態で配置し、前記軸部材を回転させることで、前記上顎部材と、雌ねじ部を有し前記軸部材に螺合させる下顎部材との間で、前記床板を挟持し、当該床板に取り付けて構成することを特徴とする
配線器具の製造方法。
【発明の詳細な説明】
【技術分野】
【０００１】
本発明は、電源コンセントやモジュラージャックなどの接続部材を備え、床板に埋め込まれる配線器具、および、配線器具の製造方法に関する。
【背景技術】
【０００２】
従来、オフィスなどにおいては、床板の下方に電線やＬＡＮケーブルなどの線部材を配線するいわゆるフリーアクセスフロアが用いられる場合がある。また、昨今では家電製品や家庭用情報機器の増加に伴い住居の床下に線部材を配線する場合も増加している。このような床下配線においては、床上の居室に配線される電線やＬＡＮケーブルを床下に配線された線部材と接続するための配線器具が床板に埋設されている。
【０００３】
このような配線器具は、特許文献１に記載の技術のように、床板を厚さ方向に挟持することで固定される場合がある。
【先行技術文献】
【特許文献】
【０００４】
【特許文献１】特開２０１１−１０１４７６号公報
【発明の概要】
【発明が解決しようとする課題】
【０００５】
ところが、オフィスや住居などに用いられる床板の厚さは様々であり、配線器具の筐体よりも厚さの厚い床板も存在する。このような床板には特許文献１に記載の配線器具などは取り付けることができなかった。
【０００６】
本発明は、筐体よりも厚さの厚い床板にも取り付けることができる配線器具、および、配線器具の製造方法を提供することを目的とする。
【課題を解決するための手段】
【０００７】
本発明の一態様に係る配線器具は、床板に形成される取付孔に設置される配線器具であって、前記取付孔に挿入状態で配置される筐体と、前記筐体の上部に取り付けられ、前記筐体から外方突出状に設けられる上顎部材と、前記上顎部材に固定的に接続され、上下方向に前記筐体の底部を越えて下方にまで延在する柱状部材と、前記柱状部材の前記筐体の底部よりも下方の部分に、前記筐体から外方突出状に設けられる保持部材と、前記柱状部材に沿って前記上顎部材と前記保持部材とに回転自在に保持され、外周面にねじ溝が設けられる軸部材と、前記軸部材と螺合する雌ねじ部を有し、前記軸部材の回転により上下方向に移動可能な下顎部材とを備える。
【発明の効果】
【０００８】
本発明の一態様に係る配線器具によれば、筐体よりも厚い床板にも柔軟に対応して固定することができる。
【図面の簡単な説明】
【０００９】
【図１】図１は、配線器具の外観を示す斜視図である。
【図２】図２は、蓋体および筐体の一部を省略した配線器具を示す斜視図である。
【図３】図３は、床板に取り付けられた状態を示す側面図である。
【図４】図４は、取付孔に挿入された状態の配線器具を蓋体や上顎部材などを省略して示す平面図である。
【図５】図５は、引出口を上方に露出させた状態の蓋体を示す斜視図である。
【図６】図６は、蓋体を取り外した状態の配線器具を上方から示す平面図である。
【発明を実施するための形態】
【００１０】
以下では、本発明の実施の形態に係る配線器具について、図面を用いて説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
以下、実施の形態について説明する。
【００１３】
［配線器具の構成］
図１は、配線器具の外観を示す斜視図である。
【００１４】
図２は、蓋体および筐体の一部を省略した配線器具を示す斜視図である。
【００１５】
図３は、床板に取り付けられた状態を示す側面図である。
【００１６】
これらの図に示すように配線器具１００は、床板２００に形成される取付孔２０１に挿入状態で設置される器具であって、筐体１０１と、接続部材１０２と、蓋体１０３と、固定手段１０８とを備えている。
【００１７】
［筐体］
筐体１０１は、床板２００の取付孔２０１に挿入状態で配置され、接続部材１０２を取付孔２０１内に保持するための構造部材であり、底部に傾斜面部１１１を備えている。筐体１０１の形状は、特に限定されるものではないが、本実施の形態の場合、全体視有底の円筒形状であり、円筒形状の周壁の一部は、二つの対向した平面部となっている。当該平面部は、筐体１０１を床板２００に固定するための固定手段１０８を配置するために設けられている。さらに筐体１０１は、基体１１４と、周壁部材１１２とを備えている。
【００１８】
［基体］
基体１１４は、構造的な基礎となる部分であり、本実施の形態の場合、傾斜面部１１１と前記平面部の一部を形成する平面壁部１１３と、上取付部１１５と、横取付部１１６とを備えている。本実施の形態の場合、傾斜面部１１１と平面壁部１１３と上取付部１１５と横取付部１１６とは、一枚の板金を曲げ加工することにより一体に形成されている。
【００１９】
［傾斜面部］
傾斜面部１１１は、接続部材１０２が取り付けられる筐体１０１の部分であり、配線器具１００が床板２００に取り付けられた状態において、接続部材１０２の接続口１２１が斜め上方を向くように保持する部分である。なお、傾斜面部１１１の傾斜角度は特に限定される物ではないが、電源プラグなどの接続器具が着脱しやすく、かつ、接続器具を筐体１０１内に収容できる角度が好ましい。具体的に例えば傾斜面部１１１の傾斜角は、配線器具１００が取り付けられる床板２００の表面に対し３０度以上、６０度以下の範囲から選定されることが好ましい。
【００２０】
［平面壁部］
平面壁部１１３は、接続部材１０２を挟むように傾斜面部１１１の両端縁からそれぞれ立ち上がった部分であり、筐体１０１の一部を形成する部分である。
【００２１】
［上取付部］
上取付部１１５は、基体１１４の平面壁部１１３の上端から外方突出状に設けられた部分であり、固定手段１０８を取り付けるための部分である。
【００２２】
［横取付部］
横取付部１１６は、基体１１４の平面壁部１１３の幅方向の一端部から外方突出状に設けられた部分であり、固定手段１０８を取り付けるための部分である。本実施の形態の場合、横取付部１１６は、二つの平面壁部１１３のそれぞれに回転対称となるように設けられている。
【００２３】
［周壁部材］
周壁部材１１２は、基体１１４と共に接続部材１０２の接続口１２１を囲う部材であり、接続部材１０２を保護する部材である。
【００２４】
［接続部材］
接続部材１０２は、床板２００の上方に配線される第一線部材（図示せず）と床板２００の下方に配線される第二線部材（図示せず）とを着脱自在に接続するための部材である。接続部材１０２の種類は特に限定されるものではないが、例えば、電源コンセントやＬＡＮ用のモジュラージャックなどである。本実施の形態の場合、接続部材１０２はユニット化されており、配線器具１００は、種類の異なる接続部材１０２を取り替えて取り付けることができるものとなっている。
【００２５】
［固定手段］
固定手段１０８は、床板２００を挟持して配線器具１００を床板２００の取付孔２０１に固定するための装置であり、上顎部材１８１と、柱状部材１８２と、保持部材１８３と、軸部材１８４と、下顎部材１８５とを備えている。また本実施の形態の場合、固定手段１０８は、梁部材１８６も備えている。
【００２６】
［上顎部材］
上顎部材１８１は、床板２００を挟持するために床板２００の上面に当接する部材であり、筐体１０１の上部に取り付けられ、筐体１０１から外方突出状に設けられる部材である。
【００２７】
本実施の形態の場合、上顎部材１８１は、筐体１０１の上端開口部を囲む円環状の部材であり、上取付部１１５に対してネジなどにより固定されている。つまり、筐体１０１の一部と一体である上取付部１１５は、上顎部材１８１の一部として機能している。
【００２８】
［柱状部材］
柱状部材１８２は、上顎部材１８１に固定的に接続され、上下方向に筐体１０１の底部を越えて下方にまで延在する長尺の部材であり、上顎部材１８１と保持部材１８３との位置関係を定めるための部材である。本実施の形態の場合、柱状部材１８２は、水平面で切断した断面がＬ字状となっているアングル形状が採用されており、長尺状でありながら反りやねじれの発生を防止し、上顎部材１８１と保持部材１８３との位置関係のずれの発生を抑制している。
【００２９】
また、柱状部材１８２は、基体１１４の横取付部１１６に対して複数のネジで着脱可能に固定されている。つまり、柱状部材１８２は、基体１１４を介して上顎部材１８１と着脱自在に接続されている。これにより、長さの異なる柱状部材１８２に交換することが可能となり、様々な厚さの床板２００に対応することが可能となる。
【００３０】
［規制部］
また、柱状部材１８２は、軸部材１８４を下顎部材１８５を上昇させる方向（本実施の形態の場合右巻方向（上方からみて時計方向））に回転させた場合に、下顎部材１８５が筐体１０１から外方に向かって突出する状態を維持するように下顎部材１８５の回転を規制する規制部１８７を備えている。本実施の形態の場合、軸部材１８４の側方において上下方向に延在し、筐体１０１に対し軸部材１８４よりも突出している柱状部材１８２の部分であって、下顎部材１８５が当接する部分が規制部１８７として機能している。
【００３１】
［保持部材］
保持部材１８３は、柱状部材１８２の筐体１０１の底部よりも下方の部分に、筐体１０１から外方突出状に設けられる部材であり、軸部材１８４の下部を回転自在に保持する軸受として機能する部分である。
【００３２】
本実施の形態の場合、保持部材１８３は、アングル状の柱状部材１８２のＬ字部分を交差する２辺として含む程度の大きさの長方形（正方形含む）の板状の部材であり、軸部材１８４の端部が挿通される貫通孔が厚さ方向に開けられた部材である。また、保持部材１８３はほぼ水平面に沿って配置されており、柱状部材１８２と一体に設けられている。具体的には、柱状部材１８２、および、保持部材１８３は、一枚の板金を曲げ加工することにより成形されている。
【００３３】
［軸部材］
軸部材１８４は、柱状部材１８２の近傍に柱状部材１８２に沿って配置される部材であり、柱状部材１８２の上部に配置される上顎部材１８１と下部に配置される保持部材１８３とに回転自在に保持され、外周面にねじ溝が設けられる棒状の部材である。また、軸部材１８４を所定の方向に回転させることにより下顎部材１８５を上顎部材１８１に近づけることができ、床板２００を挟持する力を発生させる機能を軸部材１８４は備えている。
【００３４】
本実施の形態の場合、軸部材１８４は、上顎部材１８１と係合する頭部１８８を上端部に備えたネジであり、頭部１８８の端面に設けられたプラス状の溝にプラスドライバを挿入して回すことができるものとなっている。
【００３５】
また、軸部材１８４は、上顎部材１８１、および、保持部材１８３に着脱可能であり、上顎部材１８１に取り付けられる柱状部材１８２の長さに応じて軸部材１８４を取り替えることができるものとなっている。
【００３６】
［下顎部材］
下顎部材１８５は、軸部材１８４と螺合する雌ねじ部を有し、軸部材１８４の回転により上下方向に移動可能な部材である。本実施の形態の場合、軸部材１８４を右巻方向に回転させた場合、下顎部材１８５は、柱状部材１８２の規制部１８７に当接して回転が規制され、柱状部材１８２に沿って上昇するものとなっている。また、下顎部材１８５は、規制部１８７に当接している状態において、筐体１０１から外方に突出した状態となり、下顎部材１８５の上端部に設けられたのこぎり刃状の部分が床板２００の下面に当接するものとなっている。特に、床板２００が木製の場合、のこぎり刃状の部分が床板２００に食い込み、強固に配線器具１００を床板２００に固定することが可能となる。
【００３７】
また、軸部材１８４を左巻方向（上方から見て反時計方向）に回転させた場合、下顎部材１８５は、筐体１０１の平面部に当接して回転が規制される。この状態において、下顎部材１８５は、床板２００の取付孔２０１の内方に位置するものとなっている。
【００３８】
［梁部材］
梁部材１８６は、複数の柱状部材１８２の下端部のそれぞれを筐体１０１の下方において架橋状に接続する部材であり、長尺状の柱状部材１８２の下端部の構造的強度を向上させるための部材である。
【００３９】
本実施の形態の場合、梁部材１８６は帯状の板部材であり、柱状部材１８２の下端部から内側に向かって突出する取付片１３９に両端部がネジ止めされている。
【００４０】
［全体的配置］
図４は、取付孔に挿入された状態の配線器具を蓋体や上顎部材などを省略して示す平面図である。
【００４１】
同図に示すように、筐体１０１は、外周面に回転対称に配置される複数の平面部１１０を備えている。二本の柱状部材１８２は、平面部１１０の幅方向の一方にそれぞれ偏って配置され、かつ、対称軸Ｒを中心として回転対称に配置されている。これに伴って、複数の軸部材１８４も平面部１１０の幅方向の一方に偏って配置され、対称軸Ｒを中心とした回転対称に配置されている。また、それぞれの軸部材１８４に取り付けられた下顎部材１８５は、平面部１１０に当接した状態では、取付孔２０１の内方に収まる長さとなっている。
【００４２】
このように、同一形状の柱状部材１８２を回転対称に配置することで、同一形状の下顎部材１８５を円筒状の取付孔２０１の内方に納めることができ、配線器具１００を取付孔２０１に挿入して、下顎部材１８５を床板２００の下方に配置することが可能となる。従って、床板２００に設ける取付孔２０１の大きさを可及的に小さくすることができ、容易に施工することが可能となる。
【００４３】
また、梁部材１８６は、柱状部材１８２の対称軸Ｒと交差する位置に配置されている。これにより、安定して配線器具１００を床板２００に取り付けることが可能となる。
【００４４】
［蓋体］
蓋体１０３は、筐体１０１の上面開口部を塞ぐ部材である。蓋体１０３の形状は特に限定されるものではないが、本実施の形態の場合、筐体１０１が略円筒形状であるため、蓋体１０３は円板形状をなしている。
【００４５】
また、蓋体１０３には、筐体１０１内外に配線される第一線部材（図示せず）を挿通させるために貫通状の第一引出孔１３１が設けられている。本実施の形態の場合、第一引出孔１３１は、蓋体１０３の端縁から中央に向かって矩形に切り欠かれた部分であり、蓋体１０３の中央部に近い第一引出孔１３１の端縁は、接続部材１０２の接続口１２１の上方に位置している。また、蓋体１０３は、上顎部材１８１の内周部に取り付けられるものとなっている。
【００４６】
［第一引出孔］
第一引出孔１３１は、第一線部材の配線状態を維持しつつ筐体１０１の上面開口部のほとんどを蓋体１０３で防ぎ、床板２００上の安全を確保するために機能する部分である。
【００４７】
［配線蓋体］
配線蓋体１０４は、第一線部材を配線しない場合は、蓋体１０３の第一引出孔１３１を図１に示すように蓋体１０３と面一になるように塞ぎ、筐体１０１の内外に第一線部材を配線する場合は、第一引出孔１３１に取り付ける方向を変更することで、図５に示すように配線を引き出すための引出口１４１を蓋体１０３の上面から突出する状態で形成する部材である。
【００４８】
［取付作業］
次に、上記配線器具１００の床板２００への取付作業手順を説明する。
【００４９】
図６は、蓋体を取り外した状態の配線器具を上方から示す平面図である。
【００５０】
同図に示すように、蓋体１０３を取り外すと、軸部材１８４の頭部１８８が看取できるため、プラスドライバなどを用いて軸部材１８４を左方向に回転させる。これにより、図４に示すような状態、または、下顎部材１８５を筐体１０１の下方に配置して筐体１０１の下方領域内に下顎部材１８５を収容した状態を創出できる。
【００５１】
次に、当該状態で床板２００に設けられた円筒状の取付孔２０１に配線器具１００を挿入する。上顎部材１８１は、取付孔２０１の径よりも大きな形状となっているため、図３に示すように、上顎部材１８１と床板２００の上面が当接した状態で配線器具１００が配置される。
【００５２】
次に、もし下顎部材１８５が床板２００の下方に配置されていなかったら、軸部材１８４をさらに左方向に回転させることで、下顎部材１８５は下方に降下する。
【００５３】
下顎部材１８５が床板２００の下方に位置すれば、次に軸部材１８４を右方向に回転させる。下顎部材１８５は、筐体１０１から外方に突出するように、柱状部材１８２の規制部１８７に当接するまで軸部材１８４の回転に伴って回転する。さらに、軸部材１８４を右方向に回転させることで、規制部１８７に回転が規制された下顎部材１８５は、柱状に沿って突出状態を維持したまま上昇する。
【００５４】
図３に示すように、上顎部材１８１と下顎部材１８５で床板２００を強く挟持した状態になれば、軸部材１８４の回転を終了する。最後に、蓋体１０３で筐体１０１の上面開口部を閉じれば、作業は配線器具１００の取付作業が終了する。
【００５５】
［効果］
以上の実施の形態に係る配線器具１００によれば、取り付ける床板２００の厚さが筐体１０１よりも厚い場合であっても、配線器具１００を取付孔２０１内に固定することが可能となる。また、梁部材１８６により筐体１０１を跨いだ状態で柱状部材１８２の下部を接続するため、軸部材１８４の回転が安定し、下顎部材１８５を安定した状態で上下させることが可能となる。
【００５６】
また、柱状部材１８２、および、軸部材１８４が上顎部材１８１に対して着脱可能であるため、長さの異なる柱状部材１８２、および、軸部材１８４に取り替えることで、床板２００の厚さに柔軟に対応することが可能となる。
【００５７】
［その他］
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００５８】
例えば、上顎部材１８１を円環フランジ状の一部材として説明したが、上顎部材１８１は、一つの柱状部材１８２に一つ設けてもかまわない。
【００５９】
また、軸部材１８４と上顎部材１８１とは、軸部材１８４の頭部１８８で係合するものとして説明したが、軸部材１８４と上顎部材１８１とは、軸部材１８４と下顎部材１８５との螺合状態とは逆ネジで螺合してもかまわない。
【００６０】
また、柱状部材１８２を筐体１０１の基体１１４に対し着脱可能なものとして説明したが、柱状部材１８２は、基体１１４や上顎部材１８１に固定されるものでもかまわない。
【００６１】
また、筐体１０１の形状は円筒ばかりでなく、三角柱形状や直方体などでもよい。またこの場合、柱状部材１８２、軸部材１８４、下顎部材１８５などは、周面の数に対応して配置されてもかまわない。
【符号の説明】
【００６２】
１００  配線器具
１０１  筐体
１０８  固定手段
１１０  平面部
１８１  上顎部材
１８２  柱状部材
１８３  保持部材
１８４  軸部材
１８５  下顎部材
１８６  梁部材
１８７  規制部
２００  床板
２０１  取付孔
【図１】
0006614497.tif 000002
【図２】
0006614497.tif 000003
【図３】
0006614497.tif 000004
【図４】
0006614497.tif 000005
【図５】
0006614497.tif 000006
【図６】
0006614497.tif 000007